【手続補正書】
【提出日】平成18年6月15日(2006.6.15)
【手続補正１】
【補正対象書類名】明細書
【補正対象項目名】特許請求の範囲
【補正方法】変更
【補正の内容】
【特許請求の範囲】
【請求項１】
始動口入賞を契機に、主制御部から出力される信号を受けて表示制御基板の制御によって、複数種類の識別情報を可変表示する可変表示装置を有し、所定条件の成立に基づき、前記可変表示装置で識別情報の可変表示を開始させた後、該可変表示の停止時の表示結果が予め定められた特定表示態様となった場合に、所定の遊技価値を遊技者に付与可能な特別遊技状態が発生する遊技機において、
前記可変表示装置は、前記始動口入賞を契機に前記識別情報の可変表示を開始するとともに、前記複数種類の識別情報の停止時の表示結果と比較する対比値と該対比値と前記表示結果とを比較するための予告表示を表示するとともに、
前記複数種類の識別情報の可変表示中、該識別情報のそれぞれの表示領域の間に正負符号を表示し、
前記表示制御基板の制御によって、前記複数種類の識別情報の可変表示が停止した時、前記正負符号から導出された複数の識別情報の結果である導出値と前記対比値と予告表示の関係から、所定の遊技価値を遊技者に付与可能可否を制御することを特徴とする遊技機。
【請求項２】
前記表示制御基板の制御によって、前記複数種類の識別情報の可変表示が停止した時、前記正負符号から導出された複数の識別情報の結果である導出値と前記対比値が同じである場合、前記所定の遊技価値を遊技者に付与可能可否における制御は、特定表示態様であることを特徴とする請求項１記載の遊技機。
【請求項３】
前記表示制御基板の制御によって、前記複数種類の識別情報の可変表示が停止した時、前記正負符号から導出された複数の識別情報の結果である前記導出値と前記予告表示と対比値を満足したことを条件に、前記主制御部から出力される信号を受けて前記遊技機における大入賞口の駆動部は導出値が前記予告表示を満足した場合、対比値との差分のみ開閉動作を行うことを特徴とする請求項１記載の遊技機。
【請求項４】
始動口入賞を契機に、前記主制御部における乱数取得値が特定表示態様に対応している場合、前記制御表示基板の制御によって、前記予告表示あるいは前記導出値のいずれかの表示色を可変表示作動中に変化させることを特徴とする請求項１または２記載の遊技機。
【手続補正２】
【補正対象書類名】明細書
【補正対象項目名】０００６
【補正方法】変更
【補正の内容】
【０００６】
本発明は、以上のような従来技術が有する問題点に着目してなされたものであり、可変表示装置で表示に関して、特定表示態様が発生するか否かの識別情報を表示させる過程で、識別情報が可変中に識別情報が停止した後に、停止時の表示結果と比較する対比値と該対比値と前記表示結果とを比較するための予告表示を表示することによって、単に停止した識別情報のみで特定表示態様か否かを遊技者に表示することなく、非特定表示態様での識別情報であっても、予め設定されている対比値と予告表示によっては、更に遊技者にとって有利な状態となり、遊技者を視覚的により一層と楽しませることができ、遊技におけるスリルと興奮を増大させることができる遊技機を提供することを目的としている。
【手続補正３】
【補正対象書類名】明細書
【補正対象項目名】０００７
【補正方法】変更
【補正の内容】
【０００７】
【課題を解決するための手段】
前述した目的を達成するための本発明の要旨とするところは、次の各項の発明に存する。
［１］始動口（２１）入賞を契機に、主制御部（１００）から出力される信号を受けて表示制御基板（３００）の制御によって、複数種類の識別情報を可変表示する可変表示装置（３１０）を有し、所定条件の成立に基づき、前記可変表示装置（３１０）で識別情報の可変表示を開始させた後、該可変表示の停止時の表示結果が予め定められた特定表示態様となった場合に、所定の遊技価値を遊技者に付与可能な特別遊技状態が発生する遊技機において、
前記可変表示装置（３１０）は、前記始動口（２１）入賞を契機に前記識別情報の可変表示を開始するとともに、前記複数種類の識別情報の停止時の表示結果と比較する対比値と該対比値と前記表示結果とを比較するための予告表示を表示するとともに、
前記複数種類の識別情報の可変表示中、該識別情報のそれぞれの表示領域（３１１ａ，３１１ｂ，３１１ｃ）の間に正負符号を表示し、
前記表示制御基板（３００）の制御によって、前記複数種類の識別情報の可変表示が停止した時、前記正負符号から導出された複数の識別情報の結果である導出値と前記対比値と予告表示の関係から、所定の遊技価値を遊技者に付与可能可否を制御することを特徴とする遊技機。
【手続補正４】
【補正対象書類名】明細書
【補正対象項目名】０００８
【補正方法】変更
【補正の内容】
【０００８】
［２］前記表示制御基板（３００）の制御によって、前記複数種類の識別情報の可変表示が停止した時、前記正負符号から導出された複数の識別情報の結果である導出値と前記対比値が同じである場合、前記所定の遊技価値を遊技者に付与可能可否における制御は、特定表示態様であることを特徴とする［１］記載の遊技機。
【手続補正５】
【補正対象書類名】明細書
【補正対象項目名】０００９
【補正方法】変更
【補正の内容】
【０００９】
［３］前記表示制御基板（３００）の制御によって、前記複数種類の識別情報の可変表示が停止した時、前記正負符号から導出された複数の識別情報の結果である前記導出値と前記予告表示と対比値を満足したことを条件に、前記主制御部（１００）から出力される信号を受けて前記遊技機における大入賞口（２４）の駆動部は導出値が前記予告表示を満足した場合、対比値との差分のみ開閉動作を行うことを特徴とする［１］記載の遊技機。
【手続補正６】
【補正対象書類名】明細書
【補正対象項目名】００１０
【補正方法】変更
【補正の内容】
【００１０】
［４］始動口（２１）入賞を契機に、前記主制御部（１００）における乱数取得値が特定表示態様に対応している場合、前記制御表示基板（３００）の制御によって、前記予告表示あるいは前記導出値のいずれかの表示色を可変表示作動中に変化させることを特徴とする［１］または［２］記載の遊技機。
【手続補正７】
【補正対象書類名】明細書
【補正対象項目名】００１１
【補正方法】削除
【補正の内容】
【手続補正８】
【補正対象書類名】明細書
【補正対象項目名】００１６
【補正方法】変更
【補正の内容】
【００１６】
さらにまた、前記表示遊技を、表示領域（３１１，３１２）の第１領域では、各種識別情報の可変表示の結果、停止表示された識別情報を所定態様で組み合わせることにより、ある値を導出するようにし、一方表示領域（３１１，３１２）の第２領域では、前記第１領域に導出される値に対して大小が比較される対比値を表示させる。
【手続補正９】
【補正対象書類名】明細書
【補正対象項目名】００１７
【補正方法】変更
【補正の内容】
【００１７】
それにより、いっそうと表示遊技に関する興趣を高めることができる。第１領域（３１１）で導出された値（各識別情報の表示領域間に正負符号を表示した合計値）は、第２領域（３１２）に表示された対比値（３１２ａ）と大小予告領域（３１２ｂ）に表示される予告表示より大きい（あるいは小さい）場合、大入賞口２４の開閉する所定回数を、第１領域３１１の導出値と第２領域３１２の対比値が一致した場合において、特定表示態様としている。
【手続補正１０】
【補正対象書類名】明細書
【補正対象項目名】００１８
【補正方法】変更
【補正の内容】
【００１８】
また、第１領域（３１１）での導出値が第２領域（３１２）における大小予告領域（３１２ｂ）を満足した場合、対比値（３１２ａ）と導出値の値の差に応じて大入賞口２４の開閉する所定回数が決められる。
【手続補正１１】
【補正対象書類名】明細書
【補正対象項目名】００３２
【補正方法】変更
【補正の内容】
【００３２】
特別図柄表示装置３１０では、前記始動口２１への球の入賞に起因して、所定の表示遊技が実行される。かかる表示遊技において、図１３〜図２０に示すように、特別図柄表示装置３１０の画面は、各種図柄を可変表示可能な第１表示領域３１１と第２表示領域３１２と、背景領域３１３とに区画される。
【手続補正１２】
【補正対象書類名】明細書
【補正対象項目名】００３４
【補正方法】変更
【補正の内容】
【００３４】
また、第１表示領域３１１に各種識別情報間に表示された正負符号とを組み合せて可変表示され、第２表示領域３１２は、対比値領域３１２ａ、大小予告領域３１２ｂから構成されている。
【手続補正１３】
【補正対象書類名】明細書
【補正対象項目名】００３５
【補正方法】変更
【補正の内容】
【００３５】
第１領域３１１はさらに、左第１領域３１１ａと、中第２領域３１１ｂと、右第２領域３１１ｃに分割されて使用される。第１領域３１１には、上から下に向かって数字の識別情報が流れる様子が可変表示される。また、左第１領域３１１ａと中第２領域３１１ｂとの間、および中第２領域３１１ｂと右第２領域３１１ｃとの間には、正負符号表示の「＋」、「−」が表示される。これらの識別情報と正負符号の組み合せが、第１領域３１１に表示される（導出値）。
【手続補正１４】
【補正対象書類名】明細書
【補正対象項目名】００３６
【補正方法】変更
【補正の内容】
【００３６】
また、導出値が対比値より大きい旨、または小さい旨を予告する大小予告領域３１２ｂには、予告表示としての「Ｂｉｇ」あるいは「Ｓｍａｌｌ」の文字が表示されるようになっている。
【手続補正１５】
【補正対象書類名】明細書
【補正対象項目名】００３７
【補正方法】変更
【補正の内容】
【００３７】
本実施の形態では、表示遊技の結果として、第１領域３１１で識別情報が可変後、確定された導出値を、対比値領域３１２ａに表示された対比値と比べ、大小予告領域３１２ｂに表示された予告と一致した場合、特定表示態様となる。すなわち、導出値＞対比値で「Ｂｉｇ」、あるいは導出値＜対比値で「Ｓｍａｌｌ」であれば、それぞれ特定表示態様になる。
【手続補正１６】
【補正対象書類名】明細書
【補正対象項目名】００３８
【補正方法】変更
【補正の内容】
【００３８】
可変表示遊技の結果が最終的に特別表示態様に確定すると、後述する大入賞口２４は主制御部（主基板１００）から出力される信号を受けて大入賞口２４の駆動部を主基板１００が所定回数を限度に繰り返し開閉動作を行う。なお、導出値＞対比値で「Ｓｍａｌｌ」、あるいは導出値＜対比値で「Ｂｉｇ」であれば、外れ表示態様に該当する。また、導出値＞対比値で「Ｂｉｇ」、あるいは導出値＜対比値で「Ｓｍａｌｌ」のとき、大入賞口２４が開閉する所定回数を導出値と対比値との差分のみ開閉動作を行うにしてもよい。
【手続補正１７】
【補正対象書類名】明細書
【補正対象項目名】００４１
【補正方法】変更
【補正の内容】
【００４１】
大入賞口２４は、前記表示遊技で特別表示態様となった際に、主制御部（主基板１００）から出力される信号を受けて大入賞口２４の駆動部を主基板１００が所定回数を限度に繰り返し開閉動作を行い、特別遊技状態を演出するように開閉制御される。ここで特別遊技状態とは、第１状態に所定時間維持された後、第２状態に短時間戻るという開閉動作が、所定ラウンド回数を限度に繰り返し実行される状態である。なお、大入賞口２４の内部は複数に仕切られており、その一部が特定入賞領域になっている。この特定入賞領域へ各ラウンドごとに球が入賞することが、次ラウンドに移行するための継続条件となっている。
【手続補正１８】
【補正対象書類名】明細書
【補正対象項目名】００４７
【補正方法】変更
【補正の内容】
【００４７】
最初に、図６に示す主制御部である主基板１００について説明する。
主基板１００は、主基板内部のクロック回路１０８が生成するクロックを基準に動作する。またクロック回路１０８が生成したクロックを内部タイマー１０７で分周して得た一定時間間隔の割込み信号をＣＰＵ１０２に入力することで、一定時間毎に当該ＣＰＵ１０２をリセットする。ＣＰＵ１０２は、リセット間隔よりも短い時間で終了するように分割した処理をリセット毎に実行することで一連の動作を遂行する。
【手続補正１９】
【補正対象書類名】明細書
【補正対象項目名】００９０
【補正方法】変更
【補正の内容】
【００９０】
画像制御ＩＣ３０４は、表示器制御ＣＰＵ３０１の指示に従い、画像データＲＯＭ３０５を参照して、具体的な映像信号を生成し、表示装置へ出力する。実施例では、始動口２１への入賞を契機に、主制御部１００における乱数取得値が特定表示態様に対応している場合、表示制御基板３００の制御によって、前記予告表示あるいは前記導出値のいずれかの表示色を可変表示作動中に変化させる。図８のブロック図では、画像制御ＩＣ３０４が生成した画像データやパレット（色）情報等を一時的に記憶しておく領域であるＶＲＡＭが図示されていないが、画像制御ＩＣ３０４の内部にＶＲＡＭを内蔵したワンチップマイコンで構成してもよい。
【手続補正２０】
【補正対象書類名】明細書
【補正対象項目名】０１２９
【補正方法】変更
【補正の内容】
【０１２９】
図１７に示すように、導出値と対比値との差は１である。この時、大入賞口２４を１回だけ開閉動作することになる。このように、大入賞口２４が開閉動作する回数を、第１領域３１１の導出値と第２領域３１２の対比値との差に応じた動作回数としてもよい。
【手続補正２１】
【補正対象書類名】明細書
【補正対象項目名】０１３１
【補正方法】変更
【補正の内容】
【０１３１】
また、前記実施の形態ではパチンコ機を例に説明したが、外周面に複数の図柄が描かれた複数のリールであって互いを同軸に並置したものをメダルの投入とスタートスイッチの操作等の遊技条件の成立に基づいて回転させ、各リールごとに用意された停止スイッチの押下に従って対応するリールを停止し、すべてのリールが停止した際に有効ライン上に「７７７」などの特定表示態様が形成されたとき当たりになるスロットマシンに適用してもよい。
【手続補正２２】
【補正対象書類名】明細書
【補正対象項目名】０１３３
【補正方法】変更
【補正の内容】
【０１３３】
【発明の効果】
本発明に係る遊技機によれば、可変表示装置で表示に関して、特定表示態様が発生するか否かの識別情報を表示させる過程で、識別情報が可変中に識別情報が停止した後に、停止時の表示結果と比較する対比値と該対比値と前記表示結果とを対比するための予告表示を表示することによって、単に停止した識別情報のみで特定表示態様か否かを遊技者に表示することなく、非特定表示態様での識別情報であっても、予め設定されている対比値と予告表示によっては、更に遊技者にとって有利な状態となり、遊技者を視覚的により一層と楽しませることができる。